(57)【要約】【課題】センターキャップを活用して良好な周波数レスポンスを実現することができるスピーカユニットを提供することを課題とする。【解決手段】正面視楕円状のコーン３と、コーン３の中心部に配設したセンターキャップ１０と、コーン３およびセンターキャップ１０に一体的に連結されると共に、センターキャップ１０の周方向に配設したブリッジ状の複数の補強片１４と、を備えたものであり、各補強片１４，１４は扁平尖塔形状に形成されている。【選択図】図１
2008103856.tif 000002
【特許請求の範囲】
【請求項１】
コーンと、
前記コーンの中心部に配設したセンターキャップと、
前記コーンおよび前記センターキャップに一体的に連結されたブリッジ状の複数の補強片と、を備えたことを特徴とするスピーカユニット。
【請求項２】
前記複数の補強片は、前記センターキャップから放射状に延在していることを特徴とする請求項１に記載のスピーカユニット。
【請求項３】
前記コーンは、正面視楕円状に形成され、
前記複数の補強片は、前記コーンの短径方向に配設した一対のもので構成されていることを特徴とする請求項１に記載のスピーカユニット。
【請求項４】
前記各補強片は、前記センターキャップと一体成形され、先端側を前記コーンの表面に接着固定されていることを特徴とする請求項１に記載のスピーカユニット。
【請求項５】
前記各補強片は、前記センターキャップ側を基端とし前記コーン側を先端とする扁平尖塔形状に形成されていることを特徴とする請求項１に記載のスピーカユニット。
【発明の詳細な説明】
【技術分野】
【０００１】
本発明は、センターキャップを有するスピーカユニットに関するものである。
【背景技術】
【０００２】
従来、この種のスピーカユニットとして、楕円状（長円状）のコーンペーパ（コーン）の短径部に、ダストプルーフ（センターキャップ）を跨いで補強板を設けたものが、知られている（特許文献１参照）。補強板は、コーンペーパの短径側の対向面に渡すように設けられると共に、ダストプルーフが面する部分に開口が形成されている。
【特許文献１】特許第３６９６０４５号公報
【発明の開示】
【発明が解決しようとする課題】
【０００３】
ところで、センターキャップは、磁気ギャップへの塵埃の付着を防止するだけでなく、コーンまたはボイスコイルの振動を受けて振動し、スピーカユニットの周波数レスポンスを向上させる機能を有している。上記従来のスピーカユニットでは、補強板によりコーンの短径方向が補強され、楕円状コーンの持つ無用な共振等が抑制されるが、補強板は開口を有しているものの、コーンやセンターキャップからの音放射の障害となる問題があった。また、コーンの長径方向は角度が浅いため、補強板を効果的に設けることが困難であった。
【０００４】
本発明は、センターキャップを活用して良好な周波数レスポンスを実現することができるスピーカユニットを提供することを課題としている。
【課題を解決するための手段】
【０００５】
本発明のスピーカユニットは、コーンと、コーンの中心部に配設したセンターキャップと、コーンおよびセンターキャップに一体的に連結されたブリッジ状の複数の補強片と、を備えたことを特徴とする。
【０００６】
この構成によれば、ブリッジ状の複数の補強片が、コーンおよびセンターキャップに一体的に連結されているため、コーンとセンターキャップとの一体性を担保することができる。これにより、コーンの無用な変形を抑制することができ、周波数レスポンスを平坦にすることができる。また、複数の補強片は、コーンやセンターキャップを広く覆うことが無く、コーンやセンターキャップからの音放射の障害となることがない。なお、複数の補強片は、周方向に均等ピッチで配設することが好ましいが、必ずしも均等ピッチである必要はない。
【０００７】
この場合、複数の補強片は、センターキャップから放射状に延在していることが、好ましい。
【０００８】
この構成によれば、複数の補強片により、センターキャップ廻りの意匠性を向上させることができる。
【０００９】
この場合、コーンは、正面視楕円状に形成され、複数の補強片は、コーンの短径方向に配設した一対のもので構成されていることが、好ましい。
【００１０】
この構成によれば、一対の補強片により、コーンの短径方向を補強することができる。これにより、コーンの短径方向における曲げ強度が増し、無用な共振等の異常振動が抑制されて、楕円状のコーンであっても良好な周波数レスポンスを得ることができる。なお、一対の補強片により補強された短径方向における曲げ強度と、長径方向の曲げ強度とが略同一となるように補強片を設計することが、好ましい。また、この場合の「楕円状」とは、楕円形、長円形、さらには隅部をＲ形状とした長方形等を含む概念である。
【００１１】
この場合、各補強片は、センターキャップと一体成形され、先端側をコーンの表面に接着固定されていることが、好ましい。
【００１２】
この構成によれば、部品点数を増加させることなく、各補強片を簡単に形成することができ、コストアップを抑制することができる。なお、補強片の先端側は、補強を考慮して可能な限り接着面積を広くとることが好ましい。
【００１３】
この場合、各補強片は、センターキャップ側を基端としコーン側を先端とする扁平尖塔形状に形成されていることが、好ましい。
【００１４】
この構成によれば、補強片自体に十分な強度を持たせることができるため、コーンの無用な変形を十分に抑制することができ、より良好な周波数レスポンスを実現することができる。また、型による一体成形においては、成形を容易に行うことができる。
【発明の効果】
【００１５】
本発明のスピーカユニットによれば、複数の補強片により、コーンとセンターキャップとに一体性を持たせることができるため、センターキャップを活用して良好な周波数レスポンスを実現することができる。
【発明を実施するための最良の形態】
【００１６】
以下、添付の図面を参照して、本発明の一実施形態に係るスピーカユニットについて説明する。
図１に示すように、スピーカユニット１は楕円形コーンスピーカであり、コーン形状のフレーム２と、フレーム２の内側に配設した正面視楕円状のコーン３と、フレーム２の基部に設けたトッププレート４と、間隙を存してトッププレート４に対峙するポールヨーク５と、トッププレート４とポールヨーク５との間隙に介設した環状のマグネット６と、トッププレート４およびポールヨーク５に対峙するボイスコイル７と、ボイスコイル７が巻回され、コーン３に懸垂するように連結されたボイスコイルボビン８と、ボイスコイルボビン８とフレーム２の基部との間に介設した波板状のスパイダー（ダンパー）９と、コーン３の中央部に設けたセンターキャップ１０と、を備えている。入力信号に基づく電流をボイスコイル７に印加することで懸垂状態のボイスコイル７が駆動し、ボイスコイルボビン８を介してコーン３を振動させる。これにより、コーン３およびセンターキャップ１０から再生音が放射される。
【００１７】
コーン３は、先端側の外周縁部を環状のエッジ１２を介してフレーム２の開放端部に支持され、基端側の内周縁部を円筒状のコイルボビン８の先端部に連結されている。センターキャップ１０は、正面視円形のドーム状或いは逆ドーム状に形成され、コーン３の中央部に同軸となるように接着されている。そして、コーン３とセンターキャップ１０との間に渡すように、一対の補強片１４，１４が設けられている。
【００１８】
一対の補強片１４，１４は、コーン３の短径方向の軸線上（短軸上）に配設されており、それぞれセンターキャップ１０の周縁部と、コーン３の短径部３ａにおける中段位置（コーン３の周縁部とセンターキャップ１０の周縁部との中間位置）との間にブリッジ状に掛け渡すように設けられている。各補強片１４は、紙製のセンターキャップ１０と一体成形され、センターキャップ１０側を基端としコーン３側を先端とする扁平な尖塔形状に突出形成（正面視略三角形）されている。そして、各補強片１４の先端側は、コーン３の短径部３ａの表面に接着固定されている。すなわち、各補強片１４は、コーン３の短軸上において、センターキャップ１０の周縁部からコーン３の短径部３ａの中段位置にまで延びており、センターキャップ１０とコーン３とを一体的に連結している。
【００１９】
このように、一対の補強片１４，１４により、センターキャップ１０とコーン３とを一体的に連結するようにしているため、コーン３の短径方向における曲げ強度が増し、異常振動が抑制されて、楕円状のコーン３であっても良好な周波数レスポンスを得ることができる。また、一対の補強片１４，１４は、コーン３やセンターキャップ１０に比して十分に小片であり、周波数レスポンスに影響を与えるような放射音の障害となることがない。さらに、補強片１４は、センターキャップ１０と一体に且つ型抜きを考慮して、扁平尖塔形状に形成されているため、部品点数を増加させることなく簡単に且つ所定の強度を持たせて形成することができる。
【００２０】
なお、本実施形態では、各補強片１４をセンターキャップ１０と一体成形したが、これをコーン３と一体成形し先端部をセンターキャップ１０に接着することも可能である。また、各補強片１４を、コーン３およびセンターキャップ１０と別体に形成し、両端部をそれぞれコーン３およびセンターキャップ１０に接着するようにしてもよい。この場合には、既存のコーンに補強片１４を容易に設けることができる。一方、補強片１４は、上記の扁平尖塔形状の他、正面視長方形や正面視鼓形等の形状であってもよい。
【００２１】
次に、図２を参照して、上記第１実施形態の変形例に係るスピーカユニット１につき、主に異なる部分について説明する。同図（ａ）の第１変形例に係るスピーカユニット１では、一対の補強片１４，１４が、コーン３の長径方向の軸線上（長軸上）に配設されており、それぞれセンターキャップ１０の周縁部と、コーン３の長径部３ｂにおける下段位置との間にブリッジ状に渡すように設けられている。この場合も、各補強片１４は、扁平な尖塔形状に且つセンターキャップ１０と一体成形され、その先端側をコーン３に接着固定されている。
【００２２】
同様に、同図（ｂ）の第２変形例に係るスピーカユニット１では、４つの補強片１４，１４，１４，１４が、コーン３の短軸および長軸に対し４５°の角度をもって放射状に配設されており、センターキャップ１０の周縁部と、コーン３との間にブリッジ状に渡すように設けられている。すなわち、４つの補強片１４，１４，１４，１４は、センターキャップ１０の周方向に均等ピッチとなるように、放射状に延在している。この場合も、各補強片１４は、扁平な尖塔形状に且つセンターキャップ１０と一体成形され、その先端側をコーン３に接着固定されている。
【００２３】
このように、２つ（一対）の補強片１４あるいは４つの補強片１４により、センターキャップ１０とコーン３とを一体的に連結するようにしているため、コーン３の無用な変形を抑制することができ、周波数レスポンスを平坦化することができる。また、特に第２変形例のように、４つの補強片１４，１４，１４，１４を放射状に配設することにより、センターキャップ１０廻り（コーン３）の意匠性を向上させることもできる。
【００２４】
次に、図３を参照して、第２実施形態に係るスピーカユニット１につき、主に異なる部分について説明する。この実施形態のスピーカユニット１は、円形コーンスピーカであり、コーン３が正面視円形に形成されている。このスピーカユニット１では、４つの補強片１４，１４，１４，１４が、コーン３の縦方向（縦軸上）および横方向（横軸上）に配設されており、それぞれセンターキャップ１０の周縁部と、コーン３との間にブリッジ状に渡すように設けられている。すなわち、４つの補強片１４，１４，１４，１４は、センターキャップ１０の周方向に均等ピッチとなるように、放射状に延在している。この場合も、各補強片１４は、扁平な尖塔形状に且つセンターキャップ１０と一体成形され、その先端側をコーン３に接着固定されている。
【００２５】
このように、４つの補強片１４により、センターキャップ１０とコーン３とを一体的に連結するようにしているため、コーン３の無用な変形を抑制することができ、周波数レスポンスを平坦化することができる。また、４つの補強片１４，１４，１４，１４により、センターキャップ１０廻り（コーン３）の意匠性を向上させることもできる。なお、補強片は、４つに限定されるものではなく、２つ以上であればよい。また、上記第２変形例のように、４つの補強片１４，１４，１４，１４を、コーン３の縦方向および横方向に対し４５°傾けて配設するようにしてもよい。
【図面の簡単な説明】
【００２６】
【図１】本発明の第１実施形態に係るスピーカユニットの構造図である。
【図２】第１実施形態の変形例に係るスピーカユニットの正面図である。
【図３】第２実施形態に係るスピーカユニットの構造図である。
【符号の説明】
【００２７】
１  スピーカユニット、３  コーン、３ａ  短径部、３ｂ  長径部、１０  センターキャップ、１４  補強片
【図１】
2008103856.tif 000003
【図２】
2008103856.tif 000004
【図３】
2008103856.tif 000005